(57)【要約】  【課題】  タッチパネル機能を備えたディスプレイを用いる場合における操作者の操作性を向上することができる販売管理装置を提供することである。  【解決手段】  パネルフレームＭ２は、操作画面基本構造Ｍ０において、メインフレームＭ１に表示される編集対象シートＭ４の入力エリアＭ４ｂへの入力操作を補助するための補助操作パネルＭ５〜Ｍ７を表示するためのフレームであり、メインフレームＭ１と重なり合うことのない非重畳状態をもって操作画面基本構造Ｍ０上に設けられている。しかも、このパネルフレームＭ２は、メインフレームＭ１と分離不能なものであり、当該メインフレームＭ１と一体化されて操作画面基本構造Ｍ０上に設けられている。また、パネルフレームＭ２は、操作画面基本構造Ｍ０が右利き操作者用の場合、そのメインフレームＭ１における当該操作者の利腕側の側部、即ち、メインフレームＭ１の右横部分に並置された状態で表示される。【選択図】        図５（ａ）
2010097466.tif 000002
【特許請求の範囲】
【請求項１】
パーソナルコンピュータ等の汎用型コンピュータと所定のプログラムとが協働することによって実現され、伝票などの販売管理書類を作成する機能とその販売管理書類を管理する機能とを備えている販売管理装置において、
入力操作機能としてのタッチパネル機能と各種情報が表示される表示機能とを有しているディスプレイに表示され、販売管理書類を作成するために必要となる各種情報を入力するための入力用シートとして編集対象シートを有している操作画面を備えており、
その操作画面の基本構造は、前記編集対象シートが表示される領域として形成されるメインフレームと、
そのメインフレームに表示される前記編集対象シートの入力エリアへの入力操作を補助するための補助操作パネルを前記操作画面内に表示させる領域であって、そのメインフレームよりも表示面積が小さく、かつ、そのメインフレームにおける操作者の利腕側の側部に当該メインフレームと非重畳状態にて並置表示され、前記メインフレームと分離不能に一体化されてるパネルフレームとを備えていることを特徴とする販売管理装置。
【請求項２】
前記メインフレームに表示される前記編集対象シートは、各種文字を用いて入力可能な汎用型入力エリアと、数量や金額や日付などを入力可能な特殊型入力エリアとを備えており、
前記パネルフレームに表示される前記補助操作パネルは、前記汎用型入力エリアへ入力されるべき入力候補情報を一覧表示して選択させる候補一覧パネルと、前記特殊型入力エリアへ数値を入力するための数字キーを有する数値操作パネルとを備えており、
前記パネルフレームの表示は、前記編集対象シートにおいてカーソルが前記汎用型入力エリアから前記特殊型入力エリアへ移動した場合に前記候補一覧パネルから前記数値操作パネルに切り替えられ、かつ、前記編集対象シートにおいてカーソルが前記特殊型入力エリアから前記汎用型入力エリアへ移動した場合に前記数値操作パネルから前記候補一覧パネルに切り替えられるものであることを特徴とする請求項１記載の販売管理装置。
【発明の詳細な説明】
【技術分野】
【０００１】
本発明は、パーソナルコンピュータ等の汎用型コンピュータと所定のプログラムとが協働することによって実現され、伝票などの販売管理書類を作成する機能とその販売管理書類を管理する機能とを備えている販売管理装置に関するものである。
【背景技術】
【０００２】
例えば、納品書、入金伝票、請求書などの販売管理用の書類を作成し、それらの管理を行うための各種処理を実行するための機能を有するパーソナルコンピュータ用のアプリケーションプログラムについては、近年において種々のものが提案されているが、いずれもキーボードやマウスなどの入力機器の使用を前提として構築されており、パーソナルコンピュータ自体や、そのキーボード又はマウスなどの操作に不慣れな者が、導入当初から簡単に使用することができるものではなかった。
【０００３】
そこで、本願出願人は、パーソナルコンピュータ自体やキーボードやマウスの操作に不慣れな者でも導入当初から簡単に使用できる販売管理装置についての開発を行うとともに、更に、かかる販売管理装置をより幅広く消費者の利用に資するため、下記特許文献１に記載されるような会計処理用に特化された専用機ではなく、より低コストで導入可能なパーソナルコンピュータ等の汎用型コンピュータを用いて販売管理装置を構築することを目的としてきた。
【０００４】
その結果、本願出願人は、パーソナルコンピュータ等の汎用型コンピュータの入力機器としてタッチパネル機能を有するディスプレイを用いることで、導入当初から誰でも比較的容易に操作ができ且つ低コストで導入可能な販売管理装置を開発するに至った。
【特許文献１】特開２００２−２３０４６６号公報
【発明の開示】
【発明が解決しようとする課題】
【０００５】
しかしながら、従来のキーボード及びマウス等の入力機器の使用を前提とした販売管理用のアプリケーションプログラムを実行させることで、パーソナルコンピュータを販売管理装置として機能させる場合には、上記したタッチパネル型のディスプレイを入力機器としたときに、操作者がディスプレイを介してタッチ操作し辛く、マウスを使用する場合に比べて、むしろ操作性が低下してしまう等の種々の問題点があった。
【０００６】
本発明は、上述した問題点を解決するためになされたものであり、タッチパネル機能を備えたディスプレイを用いる場合における操作者の操作性を向上することができる販売管理装置を提供することを目的としている。
【課題を解決するための手段】
【０００７】
この目的を達成するために請求項１の販売管理装置は、パーソナルコンピュータ等の汎用型コンピュータと所定のプログラムとが協働することによって実現され、伝票などの販売管理書類を作成する機能とその販売管理書類を管理する機能とを備えており、入力操作機能としてのタッチパネル機能と各種情報が表示される表示機能とを有しているディスプレイに表示され、販売管理書類を作成するために必要となる各種情報を入力するための入力用シートとして編集対象シートを有している操作画面を備えており、その操作画面の基本構造は、前記編集対象シートが表示される領域として形成されるメインフレームと、そのメインフレームに表示される前記編集対象シートの入力エリアへの入力操作を補助するための補助操作パネルを前記操作画面内に表示させる領域であって、そのメインフレームよりも表示面積が小さく、かつ、そのメインフレームにおける操作者の利腕側の側部に当該メインフレームと非重畳状態にて並置表示され、前記メインフレームと分離不能に一体化されてるパネルフレームとを備えている。
【０００８】
請求項２の販売管理装置は、請求項１の販売管理装置において、前記メインフレームに表示される前記編集対象シートは、各種文字を用いて入力可能な汎用型入力エリアと、数量や金額や日付などを入力可能な特殊型入力エリアとを備えており、前記パネルフレームに表示される前記補助操作パネルは、前記汎用型入力エリアへ入力されるべき入力候補情報を一覧表示して選択させる候補一覧パネルと、前記特殊型入力エリアへ数値を入力するための数字キーを有する数値操作パネルとを備えており、前記パネルフレームの表示は、前記編集対象シートにおいてカーソルが前記汎用型入力エリアから前記特殊型入力エリアへ移動した場合に前記候補一覧パネルから前記数値操作パネルに切り替えられ、かつ、前記編集対象シートにおいてカーソルが前記特殊型入力エリアから前記汎用型入力エリアへ移動した場合に前記数値操作パネルから前記候補一覧パネルに切り替えられるものである。
【発明の効果】
【０００９】
本発明の販売管理装置によれば、パーソナルコンピュータ等の汎用型コンピュータがハードウェア資源として用いられるので、販売管理用に特化された専用機に比べて、極めて低コストで当該販売管理装置を導入することができるという効果がある。また、入力機器としてタッチパネル機能を有するディスプレイを用いているので、ディスプレイに表示される操作画面を操作者が指先等で触れるタッチ操作のみによって、その操作がなされるように構成されるので、パーソナルコンピュータ等の汎用型コンピュータのキーボードやマウスなどの操作に不慣れな者でも簡単に操作できるという効果がある。
【００１０】
特に、補助操作パネルが表示されるパネルフレームは、操作画面のメインフレームにおける操作者の利腕側の側部、例えば、操作者の利腕が右腕である場合にメインフレームの右横部分に並置された状態で表示されるので、パネルフレーム内の補助操作パネルを操作する腕が、メインフレーム内の編集対象シート上に覆い被さって操作者の視界を遮断することを防止できるという効果がある。
【００１１】
しかも、上記のようにメインフレームとパネルフレームとの位置関係を設定することで、編集対象シートと補助操作パネルとが常に互いに一定の位置関係を保ちつつ、同一操作画面内に非重畳状態で表示されるので、編集対象シートと補助操作パネルとを画面上で前後に表示切替させることによる編集対象シートの視認性が阻害されることもなく、操作者の目のちらつき感を軽減でき、操作者の視線移動距離を低減するとともに、表示切替に伴う視覚的負担を軽減することができるという効果がある。
【００１２】
さらに、編集対象シートが表示されるメインフレームは、補助操作パネルが表示されるパネルフレームに比べて表示面積が大きく形成されるので、編集対象シートの表示面積をディスプレイ上に十分に確保でき、かかる編集対象シートの視認性を向上できるという効果がある。この結果、編集対象シートは、パネルフレームに表示される補助操作パネルに比べて十分に大きく表示されるので、編集対象シートと補助操作パネルとを一瞥しただけで瞬時に区別でき、操作に不慣れな者が操作に迷い戸惑うことを防止できるという効果がある。
【発明を実施するための最良の形態】
【００１３】
以下、本発明の好ましい実施例について、添付図面を参照して説明する。図１は、本発明の一実施例である販売管理装置１におけるハードウェア資源の構成図である。図１に示すように、販売管理装置１は、主に、パーソナルコンピュータ（以下「ＰＣ」という。）２とプリンタ３とを備えている。
【００１４】
［ハードウェア資源］
ＰＣ２は、汎用型コンピュータの一種であり、コンピュータ本体４と、ディスプレイ５とを備えている。コンピュータ本体４は、主として、ＣＰＵ１１と、ＲＯＭ１２と、ＲＡＭ１３と、ＲＴＣ１４と、バス１５と、入出力回路１６と、大容量の補助記憶装置であるハードディスク（以下「ＨＤ」という。）１７とを内蔵したものである。また、ディスプレイ５は、入力操作機能としてのタッチパネル機能と各種情報が表示される表示機能とを備えたタッチパネルタイプの表示機器である。
【００１５】
ＣＰＵ１１は、ＰＣ２の各部に対する各種制御処理と各種データの演算処理とを行う中央処理装置であり、後述する販売管理プログラム１２ａ、タッチパネルドライバその他の各種プログラム（ソフトウェア）を実行するものである。ＲＯＭ１２は、ＢＩＯＳ（Basic-Input/Output-System）などの基本プログラムが記憶され、ＥＥＰＲＯＭ（フラッシュメモリを含む。）等のデータ書換可能な不揮発性メモリで構成されている。
【００１６】
ＲＡＭ１３は、ＰＣ２のメインメモリとして機能し、各種演算処理や制御処理におけるワークエリアとして用いられるものであって、ＤＲＡＭ等のデータ書換可能な揮発性メモリで構成されている。ＲＴＣ１４（Real-Time-Clock）は、暦上の年（和暦元号を含む。）、月及び日並びに時刻によって特定される現在時刻の計時を行うＩＣであり、ＰＣ２が電源オフの場合でもバッテリー（図示せず。）からの給電を受けて計時可能に構成されている。
【００１７】
バス１５は、アドレスバス、データバス及びコントロールバスで構成され、ＣＰＵ１１、ＲＯＭ１２、ＲＡＭ１３及びＲＴＣ１４を相互に接続し、更に、入出力回路１６とも接続されている。入出力回路１６は、ＨＤ１７及びディスプレイ５とそれぞれ接続され、販売管理装置１により作成される各種書類等を印刷するためのプリンタ３とも接続されている。
【００１８】
ＨＤ１７には、ＰＣ２用の基本ＯＳ（図示せず。）に加えて、販売管理プログラム１２ａ、タッチパネルドライバその他の各種アプリケーションプログラム、販売管理装置１による各種処理で用いられる後述する取引先データ９０（図９（ａ）参照。）や商品データ９１（図９（ｂ）参照。）などの各種データ、及び、販売管理装置１により作成される納品書（以下「売上伝票」ともいう。）や入金伝票などの各種データが記憶管理される。
【００１９】
［ソフトウェア］
販売管理プログラム１２ａは、ＰＣ２によって実行されるアプリケーションプログラムであり、この販売管理プログラム１２ａとＰＣ２とが協働することによって、図２に示されている販売管理装置１における複数の機能ユニット２１〜２５が実現されて、本実施例に係る販売管理装置１が構築される。
【００２０】
［販売管理装置］
図２は、販売管理装置１の構成を説明するブロック図である。図２に示すように、販売管理装置１は、上記ＰＣ２及び販売管理プログラム１２ａの協働によって実現される機能ユニット２１〜２５として、主に、起動終了処理ユニット２１と、ＰＣ電源オフ処理ユニット２２と、メニュー処理ユニット２３と、伝票処理ユニット２４と、その伝票処理ユニット２４により用いられる全てのデータを記憶するための記憶ユニット２５とを備えている。
【００２１】
この販売管理装置１は、ＰＣ２のディスプレイ５に表示される各種操作画面を操作者が指先等（タッチペンのペン先等を含む。）で触れる操作（以下「タッチ操作」という。）のみによって、その操作がなされるように構成されている。よって、ＰＣ２のキーボードやマウスなどの操作に不慣れな者でも簡単に操作できるようになっている。なお、以下の説明で用いる「クリック」や「ダブルクリック」などの操作は、特に説明しない限り、タッチ操作によるものである。
【００２２】
ここで、販売管理装置１の各機能ユニット２１〜２５について以下のとおり説明する。
【００２３】
［起動終了処理ユニットとＰＣ電源オフ処理ユニット］
起動終了処理ユニット２１は、販売管理プログラム１２ａの起動処理及び終了処理、即ち、販売管理装置１の起動処理及び終了処理を実行するための機能ユニットである。ＰＣ電源オフ処理ユニット２２は、販売管理装置１のハードウェアであるＰＣ２自体の電源をオフするための処理（以下「ＰＣ電源オフ処理」という。）を実行するための機能ユニットである。
【００２４】
［メニュー処理ユニット］
また、メニュー処理ユニット２３は、メニュー画面４０（図３（ｂ）参照。）をディスプレイ５に表示し、そのメニュー画面４０を介して、操作者に対して当該販売管理装置１で実現可能な複数の機能の中から、その操作者が求めている機能を選択させるための機能ユニットである。
【００２５】
［伝票処理ユニット］
伝票処理ユニット２４は、例えば、納品書、入金伝票、請求書、総勘定元帳や売掛金元帳などの元帳、売掛金管理表などの各種管理表その他これらに類する販売管理用の書類（以下単に「販売管理書類」という。）を作成し、それらの管理を行うための各種処理を実行するための機能ユニットであり、例えば、下記する売上伝票処理、入金伝票処理、請求書発行処理、元帳管理処理、管理表処理、マスタ保守処理、送付物発行処理、及び、印刷処理を実行するためのものである。
【００２６】
この伝票処理ユニット２４により実行される上記処理の詳細は、以下のとおりである。
【００２７】
売上伝票処理は、後述する売上伝票入力画面５０（図６参照。）をディスプレイ５に表示し、これを介して納品書を作成し、その作成された納品書を管理するための処理である。入金伝票処理は、後述する入金伝票入力画面６０（図７（ａ）参照。）をディスプレイ５に表示し、これを介して入金伝票を作成し、その作成された入金伝票を管理するための処理である。
【００２８】
請求書発行処理は、入金伝票入力画面６０を介した入金伝票処理の結果に基づいて作成される請求書を印刷するため、後述する請求書印刷画面７０（図７（ｂ）参照。）をディスプレイ５に表示し、これを介して請求書を発行（印刷）するための指令を印刷処理に与える処理である。
【００２９】
元帳管理処理は、総勘定元帳や売掛金元帳など各種元帳を生成するための処理である。管理表処理は、売掛金管理表などの各種管理表を生成するための処理である。マスタ保守処理は、後述する取引先マスタメンテナンス画面８０（図８参照。）を含む各種マスタメンテナンス画面をディスプレイ５に表示し、これを介して販売管理装置１で使用する各種の基本データを作成し、これらを管理するための処理である。
【００３０】
送付物発行処理は、送り状（宅配便用送り状を含む。）、ダイレクトメール（以下「ＤＭ」と略記する。）用の宛名ラベル、年賀状その他のこれに類する送付物（以下単に「送付物」という。）を作成し、かかる送付物を印刷するための指令を印刷処理に与える処理である。また、印刷処理は、伝票処理ユニット２４による各処理において作成される各種伝票、各種元帳、各種管理表、送付物などを、プリンタ３によって印刷用紙に印刷するための処理である。
【００３１】
次に、図３から図１２を参照して、販売管理装置１の各機能ユニット２１〜２５に関する機能や動作について更に詳しく説明する。
【００３２】
〔デスクトップ画面〕
図３（ａ）は、デスクトップ画面３０の一例を示した図である。このデスクトップ画面３０は、ＰＣ２の基本ＯＳによってディスプレイ５に表示される画面であり、図３（ａ）に示すように、販売管理プログラム１２ａの起動用アイコン３１が配設されている。この販売管理プログラム１２ａの起動用アイコン３１は、これがダブルクリックされることにより販売管理プログラム１２ａを起動実行させる起動ボタンとして機能するものである。
【００３３】
つまり、販売管理装置１は、この起動用アイコン３１がダブルクリックされて販売管理プログラム１２ａがＰＣ２にて起動されることで構築される。このとき、販売管理装置１の起動処理は、起動終了処理ユニット２１によって行われる。
【００３４】
〔起動終了処理ユニット〕
起動終了処理ユニット２１は、図３（ａ）に示されている販売管理プログラム１２ａの起動用アイコン３１がダブルクリックされることを契機に、販売管理装置１の起動処理を実行するものである。また、起動終了処理ユニット２１は、後述するメニュー画面４０のプログラム終了ボタン４１ｆ（図３（ｂ）参照。）がクリックされることを契機に、販売管理装置１の終了処理、即ち、販売管理プログラム１２ａの終了処理を実行するものでもある。
【００３５】
＜起動処理＞
起動処理では、メニュー処理ユニット２３および伝票処理ユニット２４の双方を起動することによって、メニュー画面４０（図３（ｂ）参照。）及び売上伝票入力画面５０（図６参照。）の双方をディスプレイ５に表示させるという一連の処理が実行される。しかも、かかる場合に、起動処理は、売上伝票入力画面５０をメニュー画面４０よりも手前側に表示させる。
【００３６】
このため、操作者は、売上伝票入力画面５０に対する操作を、販売管理装置１が起動された後即座に開始することができる。つまり、販売管理プログラム１２ａが起動される度ごとに、メニュー画面４０から売上伝票入力画面５０を起動するための操作を行う必要がないので、結果、操作者のタッチ操作の回数が軽減されるのである。
【００３７】
＜終了処理＞
一方、終了処理では、ディスプレイ５上に表示されている販売管理装置１のメニュー画面４０が消去されることで閉じられるとともに、販売管理プログラム１２ａが終了させられて、ＰＣ２のディスプレイ５上にデスクトップ画面３０が表示させられる。
【００３８】
［メニュー処理ユニット］
メニュー処理ユニット２３は、操作者に対して販売管理装置１で使用したい機能や処理を選択させるため、図３（ｂ）に示されているメニュー画面４０をディスプレイ５に表示し、このメニュー画面４０を介してなされるタッチ操作を通じて、販売管理装置１における他の機能ユニット２１，２２，２４に対して起動指令を出力ものである。
【００３９】
ここで、販売管理装置１は、上記した起動終了処理ユニット２１、ＰＣ電源オフ処理ユニット２２、メニュー処理ユニット２３及び伝票処理ユニット２４によって、売上処理機能、請求処理機能、元帳・管理表機能、マスタ保守機能、送付物発行機能、終了機能、及び、ＰＣ電源オフ機能からなる合計７種類の機能が実現可能となっている。また、これらの７種類の機能（以下「メイン機能」という。）は、それぞれより具体的な詳細処理から構成されている。
【００４０】
例えば、売上処理機能は、売上伝票処理と定期売上登録処理とから、請求処理機能は、入金入力処理と定期売上計上処理と請求一覧表処理と売上明細表処理と締処理と請求書印刷処理とから、マスタ保守機能は、取引先マスタメンテナンス処理と商品マスタメンテナンス処理と担当者マスタメンテナンス処理と取引先分類マスタメンテナンス処理と商品分類マスタメンテナンス処理とから、それぞれ構成されている。
【００４１】
なお、上記した７種類のメイン機能のうち、終了機能は上記したように起動終了処理ユニット２１により実現され、ＰＣ電源オフ機能はＰＣ電源オフ処理ユニット２２により実現され、これらを除く残りの５種類のメイン機能についてはいずれも伝票処理ユニット２４によって実現されるようになっている。
【００４２】
＜メニュー画面＞
図３（ｂ）、図４（ａ）及び図４（ｂ）は、メニュー画面４０の一例を示した図であり、図３（ｂ）は、複数の機能選択ボタン４１の中から売上ボタン４１ａがクリックされた場合に表示されるものであり、図４（ａ）は、複数の機能選択ボタン４１の中から請求ボタン４１ｂがクリックされた場合に表示されるものであり、図４（ｂ）は、複数の機能選択ボタン４１の中からマスタ保守ボタンがクリックされた場合に表示されるものである。
【００４３】
図３（ｂ）に示すように、メニュー画面４０は、メニュー処理ユニット２３によってディスプレイ５に表示される操作画面の一つであり、ディスプレイ５の略全面に表示される。また、このメニュー画面４０は、上記した複数の機能ユニット２１〜２５により実現される複数のメイン機能の中から特定のメイン機能を選択するために複数の機能選択ボタン４１と、その機能選択ボタン４１により選択されたメイン機能に属する詳細処理の中から特定の詳細処理を選択するために複数の処理選択ボタン４２とをディスプレイ５に表示するようになっている。
【００４４】
＜機能選択ボタン＞
複数の機能選択ボタン４１は、メニュー画面４０の左端部分に縦一列に配置されており、上記した売上処理機能と、請求処理機能と、元帳・管理表機能と、マスタ保守機能と、送付物発行機能と、終了機能と、ＰＣ電源オフ機能とをそれぞれ実行するため、各メイン機能に対応つけられた売上ボタン４１ａと、請求ボタン４１ｂと、元帳・管理表ボタン４１ｃと、マスタ保守ボタン４１ｄと、送付物発行ボタン４１ｅと、プログラム終了ボタン４１ｆと、ＰＣ電源オフボタン４１ｇとを備えている。
【００４５】
＜処理選択ボタン＞
複数の処理選択ボタン４２は、メニュー画面４０の右端部分に縦一列に配置されており、上記した複数の機能選択ボタン４１（４１ａ〜４１ｇ）の中から特定の機能選択ボタン４１がクリックされた場合に、そのクリックされた機能選択ボタン４１に対応するメイン機能に属する詳細処理を選択するためのものが切替表示されるようになっている。
【００４６】
例えば、売上ボタン４１ａがクリックされた場合、複数の処理選択ボタン４２の表示は、図３（ｂ）に示すように、上記した売上伝票処理と定期売上登録処理とにそれぞれ対応した納品書発行ボタン４２ａと定期売上登録ボタン４２ｂとに切り替えられる。ここで、納品書発行ボタン４２ａは、上記した売上伝票処理を実行するための操作ボタンであり、これがクリックされることで伝票処理ユニット２４が起動され、これによって売上伝票入力画面５０（図６参照。）がディスプレイ５に表示され、売上伝票処理が開始される。
【００４７】
なお、このメニュー処理ユニット２３によれば、メニュー画面４０の初期表示状態のとき、複数の処理選択ボタン４２には、納品書発行ボタン４２ａと、定期売上登録ボタン４２ｂとが表示される。これは、メニュー画面４０の初期表示時において納品書発行ボタン４２ａを即座にクリック可能とするためである。納品書発行ボタン４２ａのクリックによって実行される売上伝票処理は、販売管理装置１の中でも最も使用頻度が高く、かかる売上伝票処理の実行に至るまでの操作者のメニュー画面４０へのタッチ回数の削減することで操作者の負担を軽減するためである。
【００４８】
また、例えば、請求ボタン４１ｂがクリックされた場合、複数の処理選択ボタン４２の表示は、図４（ａ）に示すように、上記した入金入力処理と、定期売上計上処理と、請求一覧表処理と、売上明細表処理と、締処理と、請求書印刷処理とをそれぞれ実行するため、これら各詳細処理に対応した入金入力ボタン４２ｃと、定期売上計上ボタン４２ｄと、請求一覧表ボタン４２ｅと、売上明細表ボタン４２ｆと、締処理ボタン４２ｇと、請求書印刷ボタン４２ｈとに切り替えられる。
【００４９】
ここで、入金入力ボタン４２ｃは、上記した入金入力処理を実行するための操作ボタンであり、これがクリックされることで起動される伝票処理ユニット２４によって、入金伝票入力画面６０（図７（ａ）参照。）がディスプレイ５に表示され、入金伝票処理が開始される。また、請求書印刷ボタン４２ｈは、上記した請求書印刷処理を実行するための操作ボタンであり、これがクリックされることで起動される伝票処理ユニット２４によって、請求書印刷画面７０（図７（ｂ）参照。）がディスプレイ５に表示され、請求書印刷処理が開始される。
【００５０】
また、例えば、マスタ保守ボタン４１ｄがクリックされた場合、複数の処理選択ボタン４２の表示は、図４（ｂ）に示すように、上記した取引先マスタメンテナンス処理と、商品マスタメンテナンス処理と、担当者マスタメンテナンス処理と、取引先分類マスタメンテナンス処理と、商品分類マスタメンテナンス処理とをそれぞれ実行するため、これら各詳細処理に対応した取引先ボタン４２ｉと、商品ボタン４２ｊと、担当者ボタン４２ｋと、取引先分類ボタン４２ｍと、商品分類ボタン４２ｎとに切り替えられる。
【００５１】
ここで、取引先ボタン４２ｉは、上記した取引先マスタメンテナンス処理を実行するための操作ボタンであり、これがクリックされることで伝票処理ユニット２４が起動されて、かかる伝票処理ユニット２４によって取引先マスタメンテナンス画面８０（図８参照。）がディスプレイ５に表示され、取引先マスタメンテナンス処理が開始される。
【００５２】
更に、ＰＣ電源オフボタン４１ｇがクリックされた場合、処理選択ボタン４２の切替表示はなされずに、ＰＣ電源オフ処理ユニット２２によるＰＣ電源オフ処理が実行される。このＰＣ電源オフ処理は、メニュー画面４０に設けられるＰＣ電源オフボタン４１ｇを介してＰＣ２の基本ＯＳの電源オフ処理を実行するための処理である。よって、販売管理装置１の操作者は、ＰＣ２の電源をオフするために、一々ＰＣ２の基本ＯＳ用の電源オフボタンを操作して電源オフ処理を実行せずとも、メニュー画面４０の電源オフボタンをタッチすることでＰＣ２の電源をオフさせることができる。
【００５３】
また、このＰＣ電源オフボタン４１ｇがタッチ操作されると、かかるタッチ操作の直前までに販売管理装置１へ入力された各種のデータが記憶ユニット２５へ強制的に保存されるデータバックアップ処理が自動的に実行される。しかも、このデータバックアップ処理は、その要否を操作者に確認することなく、強制的かつ自動的に実行されるので、操作者がデータバックアップ処理の要否を一々選択する煩雑さが解消されている。
【００５４】
［伝票処理ユニット］
伝票処理ユニット２４は、上記したメニュー画面４０の機能選択ボタン４１及び処理選択ボタン４２を介して選択される特定のメイン機能に属する特定の詳細処理の操作が、図５に示されている操作画面の基本構造（以下「操作画面基本構造」という。）Ｍ０を有する操作画面を介して行われるようになっている。
【００５５】
図５は、伝票処理ユニット２４において用いられる操作画面基本構造Ｍ０を示した図であり、図５（ａ）は、操作画面基本構造Ｍ０のパネルフレームＭ２に候補一覧パネルＭ５及び検索操作パネルＭ６を表示した状態を示した図であり、図５（ｂ）は、操作画面基本構造Ｍ０のパネルフレームＭ２に数値操作パネルＭ７を表示した状態を示した図である。なお、図５に示されている操作画面基本構造Ｍ０は、操作者の利腕が右腕である場合のもの、即ち、右利き操作者用のものである。
【００５６】
なお、図６から図８は、この操作画面基本構造Ｍ０を有する操作画面の一例であり、図６は、売上伝票入力画面５０の一例を示した図であって、特に、図６（ａ）は、候補一覧パネルＭ５に入力候補情報として取引先データ９０が表示された状態を示した図であり、図６（ｂ）は、候補一覧パネルＭ５に入力候補情報として商品データ９１が表示された状態を示した図である。
【００５７】
さらに、図７（ａ）は、入金伝票入力画面６０の一例を示した図であり、図７（ｂ）は、請求書印刷画面７０の一例を示した図であり、図８は、取引先マスタメンテナンス画面８０の一例を示した図であり、図９は、操作画面基本構造Ｍ０の候補一覧パネルＭ５に表示される取引先データ９０（図９（ａ）参照。）及び商品データ９１（図９（ｂ）参照。）の構造を概念的に例示したものである。
【００５８】
＜操作画面基本構造＞
図５に示すように、操作画面基本構造Ｍ０は、伝票処理ユニット２４による上記した各詳細処理において、ディスプレイ５に表示される操作画面５０，６０，７０，８０等の基礎構造となる画面構成であり、主として、メインフレームＭ１と、パネルフレームＭ２と、ツールボタンＭ３とを備えている。
【００５９】
なお、ここからハードコピーボタンＭ８（ソフトキーボード１００，１１０，１２０に関する説明の手前）までの説明は、特に言及しない限り、図５に基づくものであり、その補足として図６から図８を適宜参照している。
【００６０】
＜メインフレーム＞
メインフレームＭ１は、後述する編集対象シートＭ４を表示するためのフレーム（領域）であり、他のパネルフレームＭ２及びツールボタンＭ３に比べて、操作画面基本構造Ｍ０の全体面積に占める表示面積が大きく形成されている。このため、メインフレームＭ１は、その横幅がパネルフレームＭ２より大きく、かつ、その縦幅がツールボタンＭ３の縦幅より大きくされている。
【００６１】
具体的には、メインフレームＭ１の横幅は、基本画像構造の横幅の略７０％〜８０％の範囲を占めており、メインフレームＭ１の縦幅は、売上伝票入力画面５０の縦幅の略７０％〜９０％の範囲を占める大きさとされている。
【００６２】
このように、メインフレームＭ１はディスプレイ５上に十分な表示面積が確保されるので、かかるメインフレームＭ１内に編集対象シートＭ４を可能な限り大きく表示することができ、編集対象シートＭ４の視認性を向上させることができる。
【００６３】
しかも、編集対象シートＭ４を十分大きく表示できることで、パネルフレームＭ２に表示される後述の補助操作パネルＭ５〜Ｍ７に比べて、編集対象シートＭ４を十分に大きく表示することができ、かかる編集対象シートＭ４と後述の補助操作パネルＭ５〜Ｍ７とを一瞥しただけで瞬時に区別することができ、操作者の作業負担を軽減できる。
【００６４】
＜編集対象シート＞
ここで、編集対象シートＭ４は、伝票処理ユニット２４を介して作成される上記した各種の販売管理書類、送付物その他の書類を作成するためにメインフレームＭ１上に表示される入力用シートであり、メインフレームＭ１の表示範囲の略全体を占める表示面積となるように、操作者が視認可能な十分に大きなサイズで表示される。
【００６５】
この編集対象シートＭ４は、伝票処理ユニット２４により実行される詳細処理に応じて個々に異なっており、例えば、売上伝票処理の場合には納品書シート５１（図６参照。）が、入金入力処理の場合には入金伝票入力シート６１（図７（ａ）参照。）が、請求書印刷処理の場合には請求書印刷シート７１（図７（ｂ）参照。）が、取引先マスタメンテナンス処理の場合には取引先マスタメンテナンスシート８１（図８参照。）が、それぞれ用いられる。
【００６６】
また、編集対象シートＭ４は、かかる編集対象シートＭ４の基礎及び背景となるベース画像Ｍ４ａと、このベース画像Ｍ４ａ上に配設され文字や数値などの各種情報が入力される１又は２以上の入力欄（以下「入力エリア」という。）Ｍ４ｂと、その入力エリアＭ４ｂに入力された情報に基づいた情報が補足表示される表示欄（以下「補助表示エリア」という。）Ｍ４ｃとを備えている。なお、必要に応じて、編集対象シートＭ４には、チェックボックスＭ４ｄが表示されるようにもなっている。
【００６７】
＜ベース画像＞
ベース画像Ｍ４ａは、編集対象シートＭ４の種類に応じて個々に異なっており、例えば、納品書シート５１（図６参照。）の場合は実際の納品書のデジタル画像である実納品書画像５１ａが、入金伝票入力シート６１（図７（ａ）参照。）、請求書印刷シート７１（図７（ｂ）参照。）及び取引先マスタメンテナンスシート８１（図８参照。）の場合は単色背景画像６１ａ，７１ａ，８１ａが、それぞれ用いられる。
【００６８】
ここで、ベース画像Ｍ４ａは、例えば、編集対象シートＭ４が納品書、請求書、元帳、宅配便用の送付状、年賀状などのように定型的な実物が存在するシートである場合、上記した実納品書画像５１ａのように、実際の納品書、請求書、元帳、宅配便用の送付状、年賀状をスキャナー機器等により読み取ったデジタル画像で形成される。
【００６９】
このベース画像Ｍ４ａとなるデジタル画像は、記憶ユニット２５に記憶保持されており、伝票処理ユニット２４によって、かかるデジタル画像がベース画像Ｍ４ａとしてメインフレームＭ１に表示されるようになっている。このため、編集対象シートＭ４を作成する場合に、操作者に対して恰も実際の書類を作成しているかのような印象を付与することができる。
【００７０】
なお、このような実際の納品書、請求書、元帳、宅配便用の送付状、年賀状のデジタル画像を用いたベース画像Ｍ４ａは、伝票処理ユニット２４による印刷処理におけるこれらの書類の印刷プレビュー表示においても用いられる（図示せず。）。
【００７１】
＜入力エリア＞
入力エリアＭ４ｂは、そこにカーソルＣＲが存在する場合に、その背景色がカーソルＣＲ不在の場合とは異なる色彩、特に、操作者の注意を喚起する色彩に変更されるようになっている。例えば、カーソルＣＲ不在のときの入力エリアＭ４ｂの背景色が白色である場合、カーソルＣＲが存在する入力エリアＭ４ｂの背景色は黄色に変更される。よって、操作者がカーソルＣＲを見失っても、かかる入力エリアＭ４ｂの背景色の変更によって、自己が情報を入力しようとする入力エリアＭ４ｂを容易に見つけ出すことができる。
【００７２】
なお、補助表示エリアＭ４ｃの背景色は、全ての入力エリアＭ４ｂの背景色と異なる色彩に設定されており、かかる背景色によって、補助表示エリアＭ４ｃであることが操作者が容易に判別できるようになっている。例えば、補助表示エリアＭ４ｃの背景色は、上記したカーソルＣＲの存否を問わず入力エリアＭ４ｂの背景色と異なる薄緑色などの色彩が採用されている。
【００７３】
また、入力エリアＭ４ｂは、大きく３種類の属性に分類されるものである。具体的には、平仮名、片仮名、英数字及び記号などの各種文字を用いて入力可能な汎用タイプと、数量や金額などの数値（郵便番号中の「−」等の一部の記号を含む。）のみが入力可能な数値タイプと、年月日（和暦元号を含む。）からなる日付データが入力可能な日付タイプとに分類される。なお、以下、汎用タイプの入力エリアＭ４ｂを「汎用入力エリアＭ４ｂ１」、数値タイプの入力エリアＭ４ｂを「数値入力エリアＭ４ｂ２」、日付タイプの入力エリアＭ４ｂを「日付入力エリアＭ４ｂ３」という。
【００７４】
また、各入力エリアＭ４ｂへの入力処理では、伝票処理ユニット２４によって、カーソルＣＲが存在する入力エリアＭ４ｂに所定の入力情報が設定表示されると、その入力エリアＭ４ｂの次に配置される入力エリアＭ４ｂにカーソルＣＲが自動的に移動されるようになっている。これによって、操作者のタッチ操作の手間が軽減されるからである。
【００７５】
＜補助表示エリア＞
補助表示エリアＭ４ｃの各々は、それぞれ所定の入力エリアＭ４ｂと関連づけられており、その結果、伝票処理ユニット２４では、任意の補助表示エリアＭ４ｃがクリックされると、その補助表示エリアＭ４ｃに関連づけられた入力エリアＭ４ｂにカーソルＣＲが移動され、かつ、その入力エリアＭ４ｂへ入力されるべき入力情報を選択するための候補一覧パネルＭ５がパネルフレームＭ２に表示されるようになっている。
【００７６】
例えば、取引先マスタメンテナンス画面８０の取引先マスタメンテナンスシート８１（図８参照。）には、取引先の業種分類番号を入力するために「取引先分類」の表記が左横に付された汎用入力エリアＭ４ｂ１として取引先分類入力エリア８１ｂが設けられ、この取引先分類入力エリア８１ｂは、その右横に補助表示エリアＭ４ｃとして隣接配置され取引先の業種名が表示される取引先業種名表示エリア８１ｃと関連づけられている。
【００７７】
よって、操作者が取引先分類入力エリア８１ｂ自体又はその右横に隣接配置される取引先業種名表示エリア８１ｃをクリックすれば、その取引先分類入力エリア８１ｂにカーソルＣＲが移動され、かつ、その取引先分類を選択するため文字情報（下記する入力候補情報に相当する。）が候補一覧パネルＭ５に一覧表示されるのである。
【００７８】
＜チェックボックス＞
チェックボックスＭ４ｄは、編集対象シートＭ４の必須要素ではないが、必要に応じて配置表示される要素である。例えば、チェックボックスＭ４ｄは、取引先マスタメンテナンス画面８０（図８参照。）に配置表示される。
【００７９】
この取引先マスタメンテナンス画面８０では、メインフレームＭ１内の編集対象シートＭ４として取引先マスタメンテナンスシート８１が表示されており、この取引先マスタメンテナンスシート８１上にチェックボックスＭ４ｄとして、当該シート８１によって作成される取引先が請求先となるのか否かを指定するための請求先チェックボックス８１ｄと、取引先が納品先となるのか否かを指定するための納品先チェックボックス８１ｅとが、それぞれ設けられている。
【００８０】
これらの各チェックボックス８１ｄ，８１ｅによれば、取引先を請求先又は納品先として指定する場合には、各ボックス８１ｄ，８１ｅの内部に略レ字状のチェックマークが表示される。
【００８１】
ここで、各チェックボックス８１ｄ，８１ｅは、そのチェックボックス８１ｄ，８１ｅ自体、又は、その右横に表示される「請求先」又は「納品先」の説明表記Ｍ４ｅがクリックすることによって、チェックマークの表示及び消去が行われるようになっている。チェックボックス８１ｄ，８１ｅの表示サイズが小さくてクリックし難いので、これによってタッチ操作時における指先の感知範囲を拡大できるのである。
【００８２】
＜パネルフレーム＞
パネルフレームＭ２は、メインフレームＭ１に表示される編集対象シートＭ４の入力エリアＭ４ｂへの入力操作を補助するための操作パネル（以下「補助操作パネル」という。）Ｍ５〜Ｍ７を表示するためのフレームであり、メインフレームＭ１と重なり合うことのない非重畳状態をもって操作画面基本構造Ｍ０上に設けられている。しかも、このパネルフレームＭ２は、メインフレームＭ１と分離不能なものであり、当該メインフレームＭ１と一体化されて操作画面基本構造Ｍ０上に設けられている。
【００８３】
また、パネルフレームＭ２は、操作画面基本構造Ｍ０が右利き操作者用の場合、図５に示すように、そのメインフレームＭ１における当該操作者の利腕側の側部、即ち、メインフレームＭ１の右横部分に並設配置（並置）された状態で表示されるようになっている。よって、かかるパネルフレームＭ２内の補助操作パネルＭ５〜Ｍ７を操作する右腕が、メインフレームＭ１内の編集対象シートＭ４上に覆い被さって操作者の視界を遮断することが防止される。
【００８４】
また、上記のようにメインフレームＭ１とパネルフレームＭ２との位置関係を設定することで、編集対象シートＭ４と補助操作パネルＭ５〜Ｍ７とが常に互いに一定の位置関係を保ちつつ、同一画面内に非重畳状態で表示されるので、編集対象シートＭ４と補助操作パネルＭ５〜Ｍ７とをディスプレイ５上で前後に表示切替させることによる編集対象シートＭ４の視認性が阻害されることもなく、操作者の目のちらつき感を軽減でき、操作者の視線移動距離を低減するとともに、表示切替に伴う視覚的負担を軽減することができる。
【００８５】
なお、左利き操作者用の操作画面基本構造Ｍ０の場合は、かかるパネルフレームＭ２を、メインフレームＭ１における操作者の利腕側の側部、即ち、メインフレームＭ１における左横部分に並設配置される。さすれば、パネルフレームＭ２内の補助操作パネルＭ５〜Ｍ７を操作する左腕が、メインフレームＭ１内の編集対象シートＭ４上に覆い被さって操作者の視界を遮断することが防止されるからである。
【００８６】
＜補助操作パネル＞
補助操作パネルＭ５〜Ｍ７には、主として、候補一覧パネルＭ５と、検索操作パネルＭ６と、数値操作パネルＭ７とがある。例えば、編集対象シートＭ４の汎用入力エリアＭ４ｂ１にカーソルＣＲが存在する場合、パネルフレームＭ２には候補一覧パネルＭ５と検索操作パネルＭ６とが表示される一方、編集対象シートＭ４の数値入力エリアＭ４ｂ２又は日付入力エリアＭ４ｂ３にカーソルＣＲが存在する場合、パネルフレームＭ２には数値操作パネルＭ７が表示されるようになっている。
【００８７】
これらの３種類の補助操作パネルＭ５〜Ｍ７は、メインフレームＭ１に表示されている編集対象シートＭ４においてカーソルＣＲが存在している入力エリアＭ４ｂの属性（タイプ）に応じて、伝票処理ユニット２４によりパネルフレームＭ２上で切替表示されるようになっている。なお、かかる切替表示において、伝票処理ユニット２４は、補助操作パネルＭ５〜Ｍ７の表示切替手段として機能する。
【００８８】
例えば、カーソルＣＲが汎用入力エリアＭ４ｂ１から数値入力エリアＭ４ｂ２又は日付入力エリアＭ４ｂ３へ移動した場合、パネルフレームＭ２に表示される補助操作パネルは、伝票処理ユニット２４によって、候補一覧パネルＭ５及び検索操作パネルＭ６から数値操作パネルＭ７へと切り替えられるようになっている。
【００８９】
逆に、カーソルＣＲが数値入力エリアＭ４ｂ２又は日付入力エリアＭ４ｂ３から汎用入力エリアＭ４ｂ１へ移動した場合、伝票処理ユニット２４によって、パネルフレームＭ２に表示される補助操作パネルは、数値操作パネルＭ７から候補一覧パネルＭ５及び検索操作パネルＭ６へと切り替えられるようになっている。
【００９０】
つまり、このようにカーソルＣＲが存在する編集対象シートＭ４の入力エリアＭ４ｂの属性に応じてパネルフレームＭ２内に表示される補助操作パネルＭ５〜Ｍ７を切替表示することで、カーソールが存在する入力エリアＭ４ｂへの入力操作に必要な補助操作パネルのみが表示され、逆に、当該入力操作に不要な補助操作パネルが非表示となっているのである。
【００９１】
よって、操作者が不要な補助操作パネルを誤操作することを防止でき、かつ、カーソルＣＲが移動する度ごとに、操作者が複数の補助操作パネルＭ５〜Ｍ７の中からどの補助操作パネルを使用すべきかを判断する手間も排除され、操作者の作業負担が軽減される。
【００９２】
＜候補一覧パネルと入力候補情報＞
候補一覧パネルＭ５は、編集対象シートＭ４の汎用入力エリアＭ４ｂ１に対応する入力候補情報を一覧形式で複数表示可能に形成されており、その複数の入力候補情報の中から任意の入力候補情報を１つクリックすることで、汎用入力エリアＭ４ｂ１へ入力されるべき入力情報を選択するための補助操作パネルである。また、入力候補情報とは、編集対象シートＭ４に設けられる入力エリアＭ４ｂに入力されるべき候補となる文字情報を意味している。
【００９３】
この候補一覧パネルＭ５は、当該候補一覧パネルＭ５に表示される入力候補情報の内容が、メインフレームＭ１に表示されている編集対象シートＭ４にてカーソルＣＲが存在する汎用入力エリアＭ４ｂ１の入力情報特性に応じて、切替表示されるようになっている。
【００９４】
＜入力情報特性＞
ここで、汎用入力エリアＭ４ｂ１の入力情報特性とは、上記した編集対象シートＭ４の汎用入力エリアＭ４ｂ１へ入力されるべき情報の性質を意味するものであり、汎用入力エリアＭ４ｂ１毎にそれぞれ特定の入力情報特性が予め設定されている。
【００９５】
例えば、メインフレームＭ１に表示される編集対象シートＭ４が納品書シート５１ならば（図６参照。）、かかる納品書シート５１中の「伝票区分」表記の右横にある汎用入力エリアＭ４ｂ１である伝票区分入力エリア５１ｂには伝票区分を表す数値（伝票区分数）が、「伝票区分」表記の直下にある汎用入力エリアＭ４ｂ１である取引先コード入力エリア５１ｃには取引先コードが、「品名」表記の直下にある各汎用入力エリアＭ４ｂ１である商品名入力エリア５１ｄには商品名が、それぞれ入力情報特性として予め設定されている。
【００９６】
つまり、編集対象シートＭ４が納品書シート５１である場合、パネルフレームＭ２に表示される候補一覧パネルＭ５には、カーソルＣＲが取引先コード入力エリア５１ｃにあれば入力候補情報として取引先データ９０が表示され（図６（ａ）参照。）、又、カーソルＣＲが商品名入力エリア５１ｄにあれば入力候補情報として商品データ９１が表示される（図６（ｂ）参照。）。
【００９７】
そこで、図９を参照して、取引先データ９０及び商品データ９１について、以下に説明する。
【００９８】
＜取引先データの候補一覧パネルへの表示態様＞
取引先データ９０は、各取引先毎に、その取引先に関する主要情報をまとめたデータであって、取引先マスタメンテナンス処理によって作成管理されるものである。
【００９９】
この取引先データ９０は、例えば、当該取引先に関する、名称、締日、電話番号、自社担当者名、業種を表す番号である業種分類番号、業種名、自社管理用コード、及び、称呼（片仮名表記）並びにその取引先が請求先か否か、及び、取引先が納品先か否かなどの各種情報を含んでおり、これらの各種情報が候補一覧パネルＭ５の横幅方向に羅列表示されるものである（図９（ａ）参照。）。
【０１００】
また、この取引先データ９０は、主に、編集対象シートＭ４の汎用入力エリアＭ４ｂ１のうち、カーソルＣＲが存在するものの入力情報特性が取引先コードである場合に、記憶ユニット２５から読み出され、その汎用入力エリアＭ４ｂ１に対する入力候補情報として、候補一覧パネルＭ５に表示される。
【０１０１】
例えば、編集対象シートＭ４が納品書シート５１であって、売上伝票入力画面５０上の取引先コード入力エリア５１ｃにカーソルＣＲが存在する場合（図６（ａ）参照。）に、取引先データ９０が候補一覧パネルＭ５に表示される。そして、任意の取引先データ９０がクリックされると、この取引先データ９０に記録されている自社管理用コードが取引先コードとして納品書シート５１の取引先コード入力エリア５１ｃに設定表示される。
【０１０２】
このとき、表示直後の候補一覧パネルＭ５内には、取引先データ９０のうち取引先の名称のみが縦方向に一覧表示される（図６（ａ）参照。）。余分な情報を表示せずに取引先名称のみを表示させることで入力操作時の操作者の判断負担が軽減されるからである。
【０１０３】
＜商品データ９１の候補一覧パネルＭ５への表示態様＞
商品データ９１は、各商品毎に、その商品に関する主要情報をまとめたデータであって、商品マスタメンテナンス処理によって作成管理されるものである。
【０１０４】
この商品データ９１は、例えば、当該商品の商品名、単位、単価、原価、商品分類、自社管理用コード、及び、称呼（片仮名表記）などの各種の情報を含んでおり、これらの各種情報が候補一覧パネルＭ５の横幅方向に羅列表示されるものである（図９（ｂ）参照。）。
【０１０５】
また、この商品データ９１は、主に、編集対象シートＭ４の汎用入力エリアＭ４ｂ１のうち、カーソルＣＲが存在するものの入力情報特性が商品名である場合に、記憶ユニット２５から読み出され、その汎用入力エリアＭ４ｂ１に対する入力候補情報として、候補一覧パネルＭ５に表示される。
【０１０６】
例えば、編集対象シートＭ４が納品書シート５１であって、売上伝票入力画面５０上の商品名入力エリア５１ｄにカーソルＣＲが存在する場合（図６（ｂ）参照。）に、商品データ９１が候補一覧パネルＭ５に表示される。そして、任意の商品データ９１がクリックされると、この商品データ９１に記録されている商品名が納品書シート５１の商品名入力エリア５１ｄに設定表示される。
【０１０７】
このとき、表示直後の候補一覧パネルＭ５内には、商品データ９１のうち商品名のみが縦方向に一覧表示された状態とされる（図６（ｂ）参照。）。余分な情報を表示せずに商品名のみを表示させることで入力操作時の操作者の判断負担が軽減されるからである。
【０１０８】
とはいえ、候補一覧パネルＭ５内に表示される取引先データ９０や商品データ９１に含まれる個々の情報を、取引先マスタメンテナンス画面８０や商品マスタメンテナンス画面を開かずにチェックしたい場合もある。
【０１０９】
＜横スクロールバー＞
そこで、図５に示すように、候補一覧パネルＭ５の下端部分には横スクロールバーＭ５ａが配設されている。よって、候補一覧パネルＭ５に表示される各入力候補情報が上記した取引先データ９０や商品データ９１などように多数の情報を横方向に羅列したものであって、各入力候補情報の表示内容が候補一覧パネルＭ５の横幅を超える場合でも、これを横スクロールバーＭ５ａをタッチ操作して横方向（画面左右方向）にスクロール表示させることによって、これらを表示できるようになっている。
【０１１０】
＜縦スクロールバー＞
しかも、候補一覧パネルＭ５には、その右端部分に縦スクロールバーＭ５ｂが配設されている。この縦スクロールバーＭ５ｂは、複数の入力候補情報の表示行数が候補一覧パネルＭ５の縦幅を超える場合に全ての入力候補情報を表示させるためのものであり、かかる縦スクロールバーＭ５ｂをタッチ操作することで、全ての入力候補情報が縦方向（画面上下方向）にスクロール表示されるようになっている。
【０１１１】
このように、候補一覧パネルＭ５の縦スクロールバーＭ５ｂは、操作者の利腕側となる右端部分に配設されるので、縦スクロールバーＭ５ｂの操作時に候補一覧パネルＭ５に操作者の利腕である右腕が覆い被さることがなく、候補一覧パネルＭ５内の入力候補情報が見え辛くなることが回避される。
【０１１２】
また、この縦スクロールバーＭ５ｂの横幅は、横スクロールバーＭ５ａの縦幅より大きくされており、ディスプレイ５をタッチ操作する際の指先の接触部分の横幅と略等しく又はそれ以上とされている。これは、ディスプレイ５の操作時の指先の接触部分が縦幅に比べて横幅が大きくなることから、縦スクロールバーＭ５ｂの操作性を向上させ、かつ、縦スクロールバーＭ５ｂの操作時に誤った入力候補情報を選択するようなタッチ誤動作を防止するためである。
【０１１３】
また、候補一覧パネルＭ５内に表示される各入力候補情報の表示行の高さ（縦幅）は、通常のマウスポインタにより操作される場合に採用される表示行の高さより大きくされており、ディスプレイ５をタッチ操作する際の指先の接触部分の縦幅と略等しく又はそれ以上とされている。誤った入力候補情報を選択するようなタッチ誤動作を防止するためである。
【０１１４】
なお、左利き操作者用の操作画面基本構造Ｍ０の場合にパネルフレームＭ２をメインフレームＭ１の左横部分に並設配置する場合には、候補一覧パネルＭ５の縦スクロールバーＭ５ｂは、操作者の利腕側となる左端部分に配設するようにすると良い。さすれば、縦スクロールバーＭ５ｂの操作時に候補一覧パネルＭ５に操作者の左腕が覆い被さることがなく、候補一覧パネルＭ５内の入力候補情報が見え辛くなることが回避されるからである。
【０１１５】
ところで、候補一覧パネルＭ５に表示される入力候補情報の種類は、上記した取引先データ９０及び商品データ９１に必ずしも限定されるものではなく、これらの他にも汎用入力エリアＭ４ｂ１の入力情報特性に応じた種々の文字情報（データ）を入力候補情報として表示することができるようになっている。
【０１１６】
例えば、上記した納品書シート５１の伝票区分入力エリア５１ｂ（図６参照。）にカーソルＣＲが存在する場合は、区分数と伝票区分名とからなる伝票区分データが、入力候補情報として候補一覧パネルＭ５に表示される。ここで、伝票区分データは、伝票区分を表す「１」、「３」、「５」及び「６」の区分数と、これら各区分数に対応する伝票区分の内容を表す「売掛」、「現金売上」、「定期売掛」及び「定期現金売上」の伝票区分名とからなっている。
【０１１７】
そして、任意の伝票区分データが一覧候補パネルの中から一つ選択されると、その選択された区分数が伝票区分入力エリア５１ｂへ設定表示され、かつ、その区分数に対応する伝票区分名が当該伝票区分入力エリア５１ｂの右横に設けられる補助表示エリアＭ４ｃに表示されるのである。
【０１１８】
また、例えば、請求書印刷画面７０のメインフレームＭ１に請求書印刷シート７１が表示される場合（図７（ｂ）参照）、そこには汎用入力エリアＭ４ｂ１として「締日」の表記が付された締日入力エリア７１ｂが設けられ、かかる締日入力エリア７１ｂにカーソルＣＲが存在する場合、入力候補一覧パネルＭ５には「締日」の入力候補として「１０日」、「２０日」及び「末日」が一覧表示され、締日入力エリア７１ｂには、これらのいずれかが入力可能な状態とされる。
【０１１９】
ここで、例えば、入力候補一覧パネルＭ５中の「末日」がクリックされると、締日入力エリア７１ｂには、「末日」を示す文字（数値）として「３１」が設定表示される。なお、候補一覧パネルＭ５に表示される「末日」は、暦上の月の末日を意味するものである。
【０１２０】
また、このように締日入力エリア７１ｂに「３１」が設定された場合、現在時刻が属する月の末日が、伝票処理ユニット２４によって演算され、当該締日入力エリア７１ｂの次に請求書印刷画面７０上に配置される「請求締日」の表記が付された日付入力エリアＭ４ｂ３である請求締日入力エリア７１ｃに自動的に設定表示されるようになっている。
【０１２１】
例えば、現在時刻が「平成２０年６月１５日」の日付の場合は、この現在時刻が属する月は「６月」であり、その月の末日は「３０日」となるので、請求締日入力エリア７１ｃには「平成２０年６月３１日」ではなく、「平成２０年６月３０日」が自動的に設定表示されることとなる。
【０１２２】
＜検索操作パネル＞
検索操作パネルＭ６は、操作者が使いたい入力候補情報を記憶ユニット２５から検索し、その検索結果を候補一覧パネルＭ５に表示させるために操作される補助操作パネルである。この検索操作パネルＭ６には、候補一覧パネルＭ５に表示させる入力候補情報を選別するために、合計１０種類の平仮名キーＭ６ａと、分類キーＭ６ｂと、全表示キーＭ６ｃと、他表示キーＭ６ｄとが設けられている。
【０１２３】
ここで、平仮名キーＭ６ａは、入力候補情報の称呼の語頭音に基づいて入力候補情報をあ行からわ行までの音声グループに分けて検索抽出するための操作キーであり、あ行からわ行の音声グループを区別するための「あ」〜「わ」の表記が付されている。分類キーＭ６ｂは、取引先分類や商品分類などの各種分類に基づいて入力候補情報を検索抽出するための操作キーであり、「分類」の表記が付されている。
【０１２４】
また、全表示キーＭ６ｃは、入力候補情報の全てを一括表示するための操作キーであり、「全」の表記が付されており、他表示キーＭ６ｄは、上記平仮名キーＭ６ａ及び分類キーＭ６ｂでは検索抽出できないアルファベットや各種記号で表記されている入力候補情報を検索抽出するための操作キーであり、「他」の表記が付されている。
【０１２５】
さらに、検索操作パネルＭ６は、候補一覧パネルＭ５と一緒（同時）にパネルフレームＭ２に表示されるものであり、候補一覧パネルＭ５の下側部分に並べて表示される。よって、候補一覧パネルＭ５に表示される入力候補情報を絞り込むための検索を実行する場合に、検索操作用の別の操作画面が開かれて候補一覧パネルＭ５上に重畳表示されることもなく、かかる画面切り替えに伴う操作者の目のちらつきを防止することができる。
【０１２６】
なお、上記したように、検索操作パネルＭ６は、原則として、候補一覧パネルＭ５と一緒に表示されるものである。しかし、候補一覧パネルＭ５に表示される入力候補情報が検索操作パネルＭ６を用いて検索する必要がないようなものである場合、例えば、図７（ｂ）に示すように、候補一覧パネルＭ５に締日等が表示される場合には、候補一覧パネルＭ５と一緒にパネルフレームＭ２に表示されないこともある。
【０１２７】
しかも、検索操作パネルＭ６は、候補一覧パネルＭ５の下側部分に並置表示されるので、かかる検索操作パネルＭ６のタッチ操作時には、操作者の腕が候補一覧パネルＭ５に覆い被さることがなく、候補一覧パネルＭ５が見え辛くなることが回避される。
【０１２８】
＜数値操作パネル＞
数値操作パネルＭ７は、メインフレームＭ１に表示される編集対象シートＭ４の数値入力エリアＭ４ｂ２及び日付入力エリアＭ４ｂ３へ数値を入力して設定表示させるために操作される補助操作パネルである。
【０１２９】
この数値操作パネルＭ７には、「１」〜「９」、「０」、「００」及び「０００」の数値を入力するための数字キーＭ７ａと、、小数点「．」、ハイフン「−」を入力するための記号キーＭ７ｂと、入力した数値を全消去するための全消去キーＭ７ｃと、入力した数字や記号を１文字ずつ消去するための一字消去キーＭ７ｄ、アンドゥー操作をするためのアンドゥーキーＭ７ｅと、入力内容を決定して編集対象シートＭ４の数値入力エリアＭ４ｂ２又は日付入力エリアＭ４ｂ３に設定表示するための実行キーＭ７ｆとが設けられている。
【０１３０】
なお、図５（ｂ）では、数値操作パネルＭ７の数字キーＭ７ａには「０」〜「９」、「００」及び「０００」の表記が、記号キーＭ７ｂには「．」及び「−」の表記が、全消去キーＭ７ｃには「クリア」の表記が、一字消去キーＭ７ｄには「１文字消去」の表記が、アンドゥーキーＭ７ｅには「元に戻す」の表記が、実行キーＭ７ｆには「ＯＫ」の表記が、それぞれ付されている。
【０１３１】
この数値操作パネルＭ７は、メインフレームＭ１に表示される編集対象シートＭ４において、カーソルＣＲが存在する入力エリアＭ４ｂが数値入力エリアＭ４ｂ２である場合及び日付入力エリアＭ４ｂ３である場合に、上記した候補一覧パネルＭ５及び検索操作パネルＭ６に代えて、伝票処理ユニット２４によってパネルフレームＭ２内に表示される。よって、操作者は、編集対象シートＭ４においてカーソルＣＲが存在する入力エリアＭ４ｂが、数値入力エリアＭ４ｂ２又は日付入力エリアＭ４ｂ３に切り替わったことを、この数値操作パネルＭ７の表示をもって確認することができる。なお、数値入力エリアＭ４ｂ２には、郵便番号の入力エリアＭ４ｂも含まれる。
【０１３２】
また、数値操作パネルＭ７は、パネルフレームＭ２の下側部分に配置表示されるので、かかる数値操作パネルＭ７がパネルフレームＭ２の上側部分に配置される場合に比べて、タッチ操作時において操作者は腕を高く上げる必要がなく、操作者の身体的負担が軽減される。さらに、この数値操作パネルＭ７の実行キーＭ７ｆがクリックされると、伝票処理ユニット２４によって、編集対象シートＭ４中のカーソルＣＲ位置が次の入力エリアＭ４ｂへ自動的に移動されるようになっている。このため、数値操作パネルＭ７を操作した後、操作者が編集対象シートＭ４の入力エリアＭ４ｂを手動で変更する手間が省かれ、操作者のタッチ操作が軽減される。
【０１３３】
＜ツールボタン＞
ツールボタンＭ３は、操作画面基本構造Ｍ０のメインフレームＭ１に表示される編集対象シートＭ４への入力操作時に用いられる各種ツール機能を選択するための操作ボタンである。このツールボタンＭ３は、上記したメインフレームＭ１及びパネルフレームＭ２の下側部分であって、操作画面基本構造Ｍ０の下端部に横一列状に複数配置されており、その各ツールボタンＭ３の内側部分には、当該ツールボタンＭ３が実行しようとするツール機能を示す表記が付されている。
【０１３４】
これらのツールボタンＭ３の一部を例示すると、伝票処理ユニット２４によって記憶ユニット２５に記憶される伝票の検索を行うためのボタンであって「Ｆ１伝票検索」の表記が付されたもの、編集対象シートＭ４介して作成された伝票を記憶ユニット２５へ記憶して登録するためのボタンであって「Ｆ５登録」の表記が付されたもの等がある（図６（ａ）参照。）。
【０１３５】
また、各ツールボタンＭ３は、その種類（内容）毎に色彩が統一されており、かかる色彩によって各ツールボタンＭ３の種類（内容）を容易に識別できるようにされている。例えば、後述する詳細処理終了ボタンＭ３ｄは、どの種類の操作画面であっても常に紫色の色彩が付されるようにされている。
【０１３６】
さらに、ツールボタンＭ３は、メインフレームＭ１内に表示される編集対象シートＭ４の種類に応じて切り替え表示されるようになっており、例えば、納品書シート５１や入金伝票入金シートなどの伝票入力用の編集対象シートＭ４がメインフレームＭ１に表示される場合（図６及び図７（ａ）参照。）と、請求書印刷シート７１などの印刷用の編集対象シートＭ４がメインフレームＭ１に表示される場合（図７（ｂ）参照。）と、取引先マスタメンテナンスシート８１などのマスタ保守用の編集対象シートＭ４がメインフレームＭ１に表示される場合（図８参照。）とでは、それぞれ異なった内容となっている。
【０１３７】
ただし、いずれの種類の編集対象シートＭ４がメインフレームＭ１に表示される場合においても、ツールボタンＭ３のうち、クリアボタンＭ３ａと、実行ボタンＭ３ｂと、キャンセルボタンＭ３ｃと、詳細処理終了ボタンＭ３ｄとは必ず特定位置に配置表示されるようになっている。操作者の利便性に配慮したものである。
【０１３８】
例えば、編集対象シートＭ４の種類に関わらず、クリアボタンＭ３ａは、ツールボタンＭ３群の左から４番目の「Ｆ４」の表記が付された位置に、実行ボタンＭ３ｂは、ツールボタンＭ３群の左から５番目の「Ｆ５」の表記が付された位置に、キャンセルボタンＭ３ｃは、ツールボタンＭ３群の左から１１番目の「Ｆ１１」の表記が付された位置に、詳細処理終了ボタンＭ３ｄは、ツールボタンＭ３群の左から１２番目の「Ｆ１２」の表記が付された位置に、常に配置表示される。
【０１３９】
ただし、ここで言うところの、実行ボタンＭ３ｂとは、例えば、売上伝票入力画面５０（図６参照。）や入金伝票入力画面６０（図７（ａ）参照。）などの伝票入力用の操作画面の場合は「Ｆ５登録」の表記が付されたボタンが、請求書印刷画面７０（図７（ｂ）参照。）などの印刷用の操作画面の場合は「Ｆ５プレビュー」の表記が付されたボタンが、取引先マスタメンテナンス画面８０（図８参照。）などのマスタ保守用の操作画面の場合は「Ｆ５登録」の表記が付されたボタンが、それぞれ該当する。
【０１４０】
また、図示は省略するものの、これらの他にも、実行ボタンＭ３ｂとしては、売上伝票入力画面５０や入金伝票入力画面６０などの「Ｆ５伝票検索」の表記が付されたボタンをクリックすることにより実行される伝票検索処理用の操作画面に設けられる「Ｆ５検索開始」の表記が付されたボタン、定期売上計上処理や締処理を実行するための操作画面における「Ｆ５実行」の表記が付されたボタン、元帳・管理表機能に属する元表印刷処理を実行するための操作画面における「Ｆ５元帳準備」の表記が付されたボタンが、それぞれ該当することとなる。
【０１４１】
＜ハードコピーボタン＞
ハードコピーボタンＭ８は、ハードコピーを実行するための操作ボタンであり、ツールボタンＭ３の右端より更に右側にあたる操作画面基本構造Ｍ０の右下隅部分に配置されている。また、このハードコピーボタンＭ８も、上記した詳細処理終了ボタンＭ３ｄと同趣旨から、操作画面基本構造Ｍ０内の常に右下端に表示されるようになっている。
【０１４２】
このハードコピーボタンＭ８によれば、編集対象シートＭ４の内容をプリンタ３により直接印刷することができるので、操作者の利便性を向上できる。例えば、編集対象シートＭ４の処理中に販売管理プログラム１２ａが応答不能な状態になった場合には、その作成中の編集対象シートＭ４の内容をプリンタ３によって印刷用紙に印刷して緊急回避するもできる。
【０１４３】
＜ソフトキーボード＞
図１０は、汎用入力エリアＭ４ｂ１用のソフトキーボード（以下「汎用キーボード」という。）１００が上記した操作画面５０の前面に重畳表示された状態を示した図である。また、図１１は、汎用キーボード１００の一例を示した図であり、図１１（ａ）は平仮名用のものであり、図１１（ｂ）は片仮名用のものであり、図１１（ｃ）は英数字用のものであり、図１１（ｄ）は記号用のものである。さらに、図１２（ａ）は、数値入力エリアＭ４ｂ２用のソフトキーボード（以下「数値キーボード」という。）１１０の一例を示した図であり、図１２（ｂ）は、日付入力エリアＭ４ｂ３用のソフトキーボード（以下「日付キーボード」という。）１２０の一例を示した図である。
【０１４４】
図１０に示すように、図１１に示した汎用キーボード１００は、編集対象シートＭ４の汎用入力エリアＭ４ｂ１がダブルクリックされることで、操作画面基本構造Ｍ０を有する操作画面５０の前面に重畳表示されるようになっている。
【０１４５】
なお、図１２（ａ）に示した数値キーボード１１０については編集対象シートＭ４の数値入力エリアＭ４ｂ２が、図１２（ｂ）に示した日付キーボード１２０については編集対象シートＭ４の日付入力エリアＭ４ｂ３が、それぞれダブルクリックされることで操作画面基本構造Ｍ０を有する操作画面６０，７０，８０の前面に重畳表示されるようになっている。
【０１４６】
このように入力エリアＭ４ｂをダブルクリックすることにより各ソフトキーボード１００，１１０，１２０が表示されるので、例えば、ソフトキーボード表示用のボタンを操作画面上に設けるような場合のように、ソフトキーボードを表示させたい時に入力エリアＭ４ｂから視線を外してソフトキーボード表示用のボタンを探す必要がなく、その分、視線の移動量が軽減されて操作者の作業負担を軽減することができる。
【０１４７】
図１１（ａ）から図１１（ｄ）に示すように、汎用キーボード１００は、平仮名用、片仮名用、英数字用および記号用の４種類に切り替え可能に構成されており、これらの切替操作は、当該キーボードの右下部分に横一列に表示されている「ひらなが」、「カタカナ」、「英数字」及び「記号」の表記が付された切替キー１０１がクリックされることによって行われる。
【０１４８】
図１１（ａ）及び図１１（ｂ）に示すように、平仮名用及び片仮名用の汎用キーボード１００は、文字キー１０２が５０音順に配列されており、また、図１１（ｃ）に示すように、英数字用の汎用キーボード１００は、文字キー１０２がアルファベット順の配列とされており、いずれも操作者の利便性に配慮がなされている。
【０１４９】
また、平仮名用及び片仮名用の汎用キーボード１００については、更に、大文字用の文字キー１０２と小文字用の文字キー１０２とが一緒に配列表記されており、大文字又は小文字の切り替えに伴って汎用キーボード１００が切替表示されることを防止し、操作者の目のちらつきを防止するようになっている。
【０１５０】
図１１及び図１２（ａ）に示される汎用キーボード１００及び数値キーボード１１０には、編集対象シートＭ４の入力エリアＭ４ｂへ入力させる文字情報を、予め推敲するための編集フレーム１０３，１１３が最上部に設けられており、汎用キーボード１００及び数値キーボード１１０の文字キー１０２，１１２をタッチ操作することで選択された文字は、一旦、編集フレーム１０３，１１３内に表示されるようになっている。
【０１５１】
このため、文字キー１０２，１１２の操作によって入力された文字列を、編集フレーム１０３，１１３内で任意の内容となるように推敲することができる。また、編集フレーム１０３，１１３は、操作画面５０，６０，７０，８０における編集対象シートＭ４の入力エリアＭ４ｂに比べて、表示される文字のサイズが大きく拡大表示されるようになっている。
【０１５２】
特に、汎用キーボード１００には、変換キー１０４と確定キー１０５とが設けられており、故に、編集フレーム１０３に表示されている文字列を変換キー１０４をクリックすることで所望の漢字等に変換でき、その変換内容に問題がなければ確定キー１０５をクリックすることで編集フレーム１０３内の文字列の変換を確定させることができるようになっている。
【０１５３】
図１２（ｂ）に示される日付キーボード１２０は、日付が月毎のカレンダー（暦）形式で表記されるようになっており、かかる日付キーボード１２０が起動表示された直後には、現在時刻が属する月のカレンダー１２１が表示され、そのカレンダー１２１上における現在時刻が属する日（図中では、カレンダー１２１上の「８日」（四角で枠取りされた日付）に相当する。）の背景色が他の部分背景色とは異なる色彩に変更表示されるようになっている。
【０１５４】
また、日付キーボード１２０の上部には、当該キーボードに現在表示されている年及び月を表示する年月表示エリア１２２が設けられており、この両脇には前月を表示させるためにタッチ操作される前月キー１２３と、翌月を表示させるためにタッチ操作される翌月キー１２４とが配置されている。さらに、この日付キーボード１２０には、現在時刻が属する日（今日）を表示させるためにクリックされる今日キー１２５も配置されている。
【０１５５】
図１１及び図１２に示した各ソフトキーボード１００，１１０，１２０には、操作画面５０，６０，７０，８０における編集フレーム１０３，１１３内に表示されている文字列、又は、カレンダー１２１にて指定された日付を、編集対象シートＭ４の入力エリアＭ４ｂであってカーソルＣＲが存在するものへ転送する処理を実行するための転送ボタン１０６，１１６，１２６が配置表示されている。
【０１５６】
この転送ボタン１０６，１１６，１２６には、「ＯＫ」の表記が付されており、この転送ボタン１０６，１１６，１２６がクリックされると、ソフトキーボード１００，１１０，１２０が消去されて、その編集フレーム１０３，１１３内に表示されていた文字列やカレンダー１２１にて指定された日付が、当該ソフトキーボード１００，１１０，１２０を起動表示させる際にダブルクリックされた操作画面５０，６０，７０，８０の入力エリアＭ４ｂ内に転送されて設定表示され、その後、カーソルＣＲが次の入力エリアＭ４ｂへと自動的に移動されるようになっている。
【０１５７】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１５８】
本実施例では、図５を参照して、操作者の利腕が右腕である場合における操作画面基本構造Ｍ０として主に説明し、その変形例として文章のみによって操作者の利腕が左腕である場合における操作画面基本構造について説明した。しかしながら、販売管理装置が具備すべき操作画面基本構造は、必ずしも右利き用又は左利き用のいずれか一方のみに限定されるものではなく、例えば、操作者の利腕に応じて、右利き用のものと左利き用のものとを切替表示することができるようにしても良い。
【０１５９】
具体的には、メニュー画面の機能選択ボタンの中にシステム設定用の操作ボタンとしてシステム設定ボタンを設け、そのシステム設定ボタンがクリックされた場合に、ディスプレイにシステム設定画面を表示させて、このシステム設定画面を操作することによって右利き用の操作画面基本構造と左利き用の操作画面基本構造とのいずれを使用するかを設定するようにし、かかる設定に基づいて各操作画面に用いられる操作画面基本構造を切り替えるようにするのである。
【０１６０】
なお、かかる場合に、操作画面基本構造の切替手段としては、上記した伝票処理ユニットが機能することとなる。
【図面の簡単な説明】
【０１６１】
【図１】本発明の一実施例である販売管理装置におけるハードウェア資源の構成図である。
【図２】販売管理装置の構成を説明するブロック図である。
【図３】（ａ）は、デスクトップ画面の一例を示した図であり、（ｂ）は、メニュー画面の一例を示した図であって複数の機能選択ボタンの中から売上ボタンがクリックされた場合に表示されるものである。
【図４】（ａ）は、メニュー画面の一例を示した図であって複数の機能選択ボタンの中から請求ボタンがクリックされた場合に表示されるものであり、（ｂ）は、メニュー画面の一例を示した図であって複数の機能選択ボタンの中からマスタ保守ボタンがクリックされた場合に表示されるものである。
【図５（ａ）】伝票処理ユニットの操作画面基本構造を示した図であり、候補一覧パネル及び検索操作パネルを表示した状態を示した図である。
【図５（ｂ）】伝票処理ユニットの操作画面基本構造を示した図であり、数値操作パネルを表示した状態を示した図である。
【図６（ａ）】売上伝票入力画面の一例を示した図であって、候補一覧パネルに入力候補情報として取引先データが表示された状態を示した図である。
【図６（ｂ）】売上伝票入力画面の一例を示した図であって、候補一覧パネルに入力候補情報として商品データが表示された状態を示した図である。
【図７（ａ）】入金伝票入力画面の一例を示した図である。
【図７（ｂ）】請求書印刷画面の一例を示した図である。
【図８】取引先マスタメンテナンス画面の一例を示した図である。
【図９】（ａ）は、操作画面基本構造の候補一覧パネルに表示される取引先データの構造を、（ｂ）は、操作画面基本構造の候補一覧パネルに表示される商品データの構造を、それぞれ概念的に例示したものである。
【図１０】汎用キーボードが操作画面の前面に重畳表示された状態を示した図である。
【図１１（ａ）】汎用キーボードの一例を示した図であり、平仮名用のものを示した図である。
【図１１（ｂ）】汎用キーボードの一例を示した図であり、片仮名用のものを示した図である。
【図１１（ｃ）】汎用キーボードの一例を示した図であり、英数字用のものを示した図である。
【図１１（ｄ）】汎用キーボードの一例を示した図であり、記号用のものを示した図である。
【図１２】（ａ）は、数値キーボードの一例を示した図であり、（ｂ）は、日付キーボードの一例を示した図である。
【符号の説明】
【０１６２】
１            販売管理装置
２            パーソナルコンピュータ（ＰＣ）（汎用型コンピュータ）
５            ディスプレイ
１２ａ        販売管理プログラム（所定のプログラム）
５０          売上伝票入力画面（操作画面）
６０          入金伝票入力画面（操作画面）
７０          請求書印刷画面（操作画面）
８０          取引先マスタメンテナンス画面（操作画面）
Ｍ０          操作画面基本構造（操作画面の基本構造）
Ｍ１          メインフレーム
Ｍ２          パネルフレーム
Ｍ４          編集対象シート
Ｍ４ｂ        入力エリア
Ｍ４ｂ１      汎用タイプの入力エリア（汎用入力エリア）（汎用型入力エリア）
Ｍ４ｂ２      数値タイプの入力エリア（数値入力エリア）（特殊型入力エリアの一部）
Ｍ４ｂ３      日付タイプの入力エリア（日付入力エリア）（特殊型入力エリアの一部）
Ｍ５          候補一覧パネル（候補一覧パネル、補助操作パネルの一部）
Ｍ６          検索操作パネル（補助操作パネルの一部）
Ｍ７          数値操作パネル（数値操作パネル、補助操作パネルの一部）
Ｍ７ａ        数字キー
【図１】
2010097466.tif 000003
【図２】
2010097466.tif 000004
【図３】
2010097466.tif 000005
【図４】
2010097466.tif 000006
【図５（ａ）】
2010097466.tif 000007
【図５（ｂ）】
2010097466.tif 000008
【図６（ａ）】
2010097466.tif 000009
【図６（ｂ）】
2010097466.tif 000010
【図７（ａ）】
2010097466.tif 000011
【図７（ｂ）】
2010097466.tif 000012
【図８】
2010097466.tif 000013
【図９】
2010097466.tif 000014
【図１０】
2010097466.tif 000015
【図１１（ａ）】
2010097466.tif 000016
【図１１（ｂ）】
2010097466.tif 000017
【図１１（ｃ）】
2010097466.tif 000018
【図１１（ｄ）】
2010097466.tif 000019
【図１２】
2010097466.tif 000020